【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）において、第１の送信時間間隔（ＴＴＩ）内のデータ領域におけるリソースを介して、非低レイテンシ送信を示す第１の制御領域を受信することと、
前記ＵＥにおいて、前記第１の制御領域に少なくとも部分的に基づいて前記非低レイテンシ送信を受信することと、
前記ＵＥにおいて、前記受信された非低レイテンシ送信の後に第２の制御領域において、前記第１のＴＴＩより少ない持続時間を有する第２のＴＴＩの間に低レイテンシ送信の指示を受信することと、ここにおいて、前記低レイテンシ送信は、前記第１のＴＴＩ内の前記データ領域の少なくとも一部分に存在する、
前記ＵＥにおいて、前記指示に少なくとも部分的に基づいて前記非低レイテンシ送信を復号することと
を備える方法。
【請求項２】
前記指示に少なくとも部分的に基づいて干渉推定値を生成すること
をさらに備える、請求項１に記載の方法。
【請求項３】
前記第１のＴＴＩの間に１つまたは複数のヌルトーンを識別すること、ここにおいて、前記１つまたは複数のヌルトーンは、前記非低レイテンシ送信によって使用される周波数サブバンドのサブセットまたは前記非低レイテンシ送信によって使用される時間ユニットのサブセットにのみ存在し、ここにおいて、前記干渉推定値を生成することは、前記１つまたは複数のヌルトーンに少なくとも部分的に基づく、
をさらに備える、請求項２に記載の方法。
【請求項４】
前記非低レイテンシ送信の変調シンボルのセットを、前記第１のＴＴＩ内の前記データ領域の一部分を含むリソースのセットにマッピングすること
をさらに備える、請求項１に記載の方法。
【請求項５】
前記非低レイテンシ送信の変調シンボルのセットを、前記第１のＴＴＩ内の前記データ領域の一部分を除くリソースのセットにマッピングすること
をさらに備える、請求項１に記載の方法。
【請求項６】
前記指示がブロードキャストメッセージ中でまたはユニキャストメッセージ中で受信される、請求項１に記載の方法。
【請求項７】
前記指示が前記第１のＴＴＩまたは前記第２のＴＴＩの後に受信される、請求項６に記載の方法。
【請求項８】
前記指示が１つまたは複数の制御チャネルシンボル期間の間に受信される、請求項６に記載の方法。
【請求項９】
前記低レイテンシ送信が異なるワイヤレスデバイスに向けられる、請求項１に記載の方法。
【請求項１０】
前記低レイテンシ送信が前記非低レイテンシ送信と同じセルからのものである、請求項１に記載の方法。
【請求項１１】
前記低レイテンシ送信が前記非低レイテンシ送信とは異なるセルからのものである、請求項１に記載の方法。
【請求項１２】
前記指示が基地局バックホールリンクを介して受信される、請求項１に記載の方法。
【請求項１３】
前記第１のＴＴＩがロングタームエボリューション（ＬＴＥ（登録商標））サブフレームを備える、請求項１に記載の方法。
【請求項１４】
前記第２のＴＴＩが１つまたは複数のＬＴＥシンボル期間を備える、請求項１に記載の方法。
【請求項１５】
前記一部分がいくつかのリソースブロック（ＲＢ）を備える、請求項１に記載の方法。
【請求項１６】
前記指示がサービング基地局または近隣基地局のうちの少なくとも１つから受信される、請求項１に記載の方法。
【請求項１７】
前記指示が半静的構成を備える、請求項１に記載の方法。
【請求項１８】
ワイヤレス通信のためのユーザ機器（ＵＥ）であって、
プロセッサと、
前記プロセッサと電子通信しているメモリと、
前記メモリに記憶された命令であって、前記プロセッサによって実行されると、前記装置に、
第１の送信時間間隔（ＴＴＩ）のデータ領域におけるリソースを介して、非低レイテンシ送信を示す第１の制御領域を受信することと、
前記第１の制御領域に少なくとも部分的に基づいて前記非低レイテンシ送信を受信することと、
前記受信された非低レイテンシ送信の後に第２の制御領域において、前記第１のＴＴＩより少ない持続時間を有する第２のＴＴＩの間に低レイテンシ送信の指示を受信することと、ここにおいて、前記低レイテンシ送信は、前記第１のＴＴＩ内の前記データ領域の少なくとも一部分に存在する、
前記指示に少なくとも部分的に基づいて前記非低レイテンシ送信を復号することと
を行わせるように動作可能な命令と
を備えるＵＥ。
【請求項１９】
前記命令は、前記装置に、
前記指示に少なくとも部分的に基づいて干渉推定値を生成すること
を行わせるように動作可能である、請求項１８に記載の装置。
【請求項２０】
前記命令は、前記装置に、
前記第１のＴＴＩの間に１つまたは複数のヌルトーンを識別することと、ここにおいて、前記１つまたは複数のヌルトーンは、前記非低レイテンシ送信によって使用される周波数サブバンドのサブセットまたは前記非低レイテンシ送信によって使用される時間ユニットのサブセットにのみ存在する、
前記１つまたは複数のヌルトーンに少なくとも部分的に基づいて前記干渉推定値を生成することと
を行わせるように動作可能である、請求項１９に記載の装置。
【請求項２１】
前記命令は、前記装置に、
前記非低レイテンシ送信の変調シンボルのセットを、前記第１のＴＴＩ内の前記データ領域の一部分を含むリソースのセットにマッピングすること
を行わせるように動作可能である、請求項１８に記載の装置。
【請求項２２】
前記命令は、前記装置に、
前記非低レイテンシ送信の変調シンボルのセットを、前記第１のＴＴＩ内の前記データ領域の一部分を除くリソースのセットにマッピングすること
を行わせるように動作可能である、請求項１８に記載の装置。
【請求項２３】
前記命令は、前記装置に、
前記第１のＴＴＩまたは前記第２のＴＴＩの後に前記指示を受信すること
を行わせるように動作可能である、請求項１８に記載の装置。
【請求項２４】
前記命令は、前記装置に、
前記第１のＴＴＩの第１のシンボル期間の間に制御チャネルを受信すること、ここにおいて、前記制御チャネルは、前記第１のＴＴＩのためのスケジューリング情報を備え、前記第１のＴＴＩを復号することは、前記制御チャネルに少なくとも部分的に基づく、
を行わせるように動作可能である、請求項２３に記載の装置。
【請求項２５】
前記低レイテンシ送信が異なるワイヤレスデバイスに向けられる、請求項１８に記載の装置。
【請求項２６】
前記低レイテンシ送信が前記非低レイテンシ送信と同じセルからのものである、請求項１８に記載の装置。
【請求項２７】
前記命令は、前記装置に、
基地局バックホールリンクを介して前記指示を受信すること
を行わせるように動作可能である、請求項１８に記載の装置。
【請求項２８】
前記第１のＴＴＩがロングタームエボリューション（ＬＴＥ）サブフレームを備える、請求項１８に記載の装置。
【請求項２９】
ワイヤレス通信のための装置であって、
第１の送信時間間隔（ＴＴＩ）内のデータ領域におけるリソースを介して、非低レイテンシ送信を示す第１の制御領域を受信するための手段と、
前記第１の制御領域に少なくとも部分的に基づいて前記非低レイテンシ送信を受信するための手段と、
前記受信された非低レイテンシ送信の後に第２の制御領域において、前記第１のＴＴＩより少ない持続時間を有する第２のＴＴＩの間に低レイテンシ送信の指示を受信するための手段と、ここにおいて、前記低レイテンシ送信は、前記第１のＴＴＩ内の前記データ領域の少なくとも一部分に存在する、
前記指示に少なくとも部分的に基づいて前記非低レイテンシ送信を復号するための手段と
を備える装置。
【請求項３０】
ワイヤレス通信のためのコードを記憶する非一時的コンピュータ可読媒体であって、前記コードが、
第１の送信時間間隔（ＴＴＩ）内のデータ領域におけるリソースを介して、非低レイテンシ送信を示す第１の制御領域を受信することと、
前記第１の制御領域に少なくとも部分的に基づいて前記非低レイテンシ送信を受信することと、
前記受信された非低送信の後に第２の制御領域において、前記第１のＴＴＩより少ない持続時間を有する第２のＴＴＩの間に低レイテンシ送信の指示を受信することと、ここにおいて、前記低レイテンシ送信は、前記第１のＴＴＩ内の前記データ領域の少なくとも一部分に存在する、
前記指示に少なくとも部分的に基づいて前記非低レイテンシ送信を復号することと
を行うように実行可能な命令を備える、非一時的コンピュータ可読媒体。
【手続補正２】
【補正対象書類名】明細書
【補正対象項目名】０１４９
【補正方法】変更
【補正の内容】
【０１４９】
[0158]本明細書で説明される技法は、符号分割多元接続（ＣＤＭＡ）、時分割多元接続（ＴＤＭＡ）、周波数分割多元接続（ＦＤＭＡ）、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００規格と、ＩＳ−９５規格と、ＩＳ−８５６規格とをカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するユニバーサルモバイルテレコミュニケーションシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明される技法は、上述のシステムおよび無線技術、ならびに他のシステムおよび無線技術に使用され得る。しかしながら、上記の説明は、例としてＬＴＥシステムについて説明し、上記の説明の大部分においてＬＴＥ用語が使用されているが、本技法はＬＴＥ適用例以外に適用可能である。
以下に本願発明の当初の特許請求の範囲に記載された発明を付記する。
［Ｃ１］
ワイヤレス通信の方法であって、
データ領域におけるリソースを利用して第１の送信時間間隔（ＴＴＩ）の間にデータチャネルを受信することと、
低レイテンシ送信が前記第１のＴＴＩ内の前記データ領域の少なくとも一部分に存在するという指示を受信することと、ここにおいて、前記低レイテンシ送信は、第２のＴＴＩに少なくとも部分的に基づく、
前記指示に少なくとも部分的に基づいて前記データチャネルを復号することと
を備える方法。
［Ｃ２］
前記指示に少なくとも部分的に基づいて干渉推定値を生成すること
をさらに備える、Ｃ１に記載の方法。
［Ｃ３］
前記第１のＴＴＩの間に１つまたは複数のヌルトーンを識別すること、ここにおいて、前記１つまたは複数のヌルトーンは、前記データチャネルによって使用される周波数サブバンドのサブセットまたは前記データチャネルによって使用される時間ユニットのサブセットにのみ存在し、ここにおいて、前記干渉推定値を生成することは、前記１つまたは複数のヌルトーンに少なくとも部分的に基づく、
をさらに備える、Ｃ２に記載の方法。
［Ｃ４］
前記データチャネルの変調シンボルのセットを、前記第１のＴＴＩ内の前記データ領域の前記一部分を含むリソースのセットにマッピングすること
をさらに備える、Ｃ１に記載の方法。
［Ｃ５］
前記データチャネルの変調シンボルのセットを、前記第１のＴＴＩ内の前記データ領域の前記一部分を除くリソースのセットにマッピングすること
をさらに備える、Ｃ１に記載の方法。
［Ｃ６］
前記指示がブロードキャストメッセージ中でまたはユニキャストメッセージ中で受信される、Ｃ１に記載の方法。
［Ｃ７］
前記指示が前記第１のＴＴＩまたは前記第２のＴＴＩの後に受信される、Ｃ６に記載の方法。
［Ｃ８］
前記指示が１つまたは複数の制御チャネルシンボル期間の間に受信される、Ｃ６に記載の方法。
［Ｃ９］
前記低レイテンシ送信が異なるワイヤレスデバイスに向けられる、Ｃ１に記載の方法。
［Ｃ１０］
前記低レイテンシ送信が前記データチャネルと同じセルからのものである、Ｃ１に記載の方法。
［Ｃ１１］
前記低レイテンシ送信が前記データチャネルとは異なるセルからのものである、Ｃ１に記載の方法。
［Ｃ１２］
前記指示が基地局バックホールリンクを介して受信される、Ｃ１に記載の方法。
［Ｃ１３］
前記第１のＴＴＩがロングタームエボリューション（ＬＴＥ）サブフレームを備える、Ｃ１に記載の方法。
［Ｃ１４］
前記第２のＴＴＩが１つまたは複数のＬＴＥシンボル期間を備える、Ｃ１に記載の方法。
［Ｃ１５］
前記一部分がいくつかのリソースブロック（ＲＢ）を備える、Ｃ１に記載の方法。
［Ｃ１６］
前記指示がサービング基地局または近隣基地局のうちの少なくとも１つから受信される、Ｃ１に記載の方法。
［Ｃ１７］
前記指示が半静的構成を備える、Ｃ１に記載の方法。
［Ｃ１８］
ワイヤレス通信のための装置であって、
データ領域におけるリソースを利用して第１の送信時間間隔（ＴＴＩ）の間にデータチャネルを受信するための手段と、
低レイテンシ送信が前記第１のＴＴＩ内の前記データ領域の少なくとも一部分に存在するという指示を受信するための手段と、ここにおいて、前記低レイテンシ送信は、第２のＴＴＩに少なくとも部分的に基づく、
前記指示に少なくとも部分的に基づいて前記データチャネルを復号するための手段と
を備える装置。
［Ｃ１９］
前記指示に少なくとも部分的に基づいて干渉推定値を生成するための手段
をさらに備える、Ｃ１８に記載の装置。
［Ｃ２０］
前記第１のＴＴＩの間に１つまたは複数のヌルトーンを識別するための手段と、ここにおいて、前記１つまたは複数のヌルトーンは、前記データチャネルによって使用される周波数サブバンドのサブセットまたは前記データチャネルによって使用される時間ユニットのサブセットにのみ存在する、
前記１つまたは複数のヌルトーンに少なくとも部分的に基づいて前記干渉推定値を生成するための手段と
をさらに備える、Ｃ１９に記載の装置。
［Ｃ２１］
前記データチャネルの変調シンボルのセットを、前記第１のＴＴＩ内の前記データ領域の前記一部分を含むリソースのセットにマッピングするための手段
をさらに備える、Ｃ１８に記載の装置。
［Ｃ２２］
前記データチャネルの変調シンボルのセットを、前記第１のＴＴＩ内の前記データ領域の前記一部分を除くリソースのセットにマッピングするための手段
をさらに備える、Ｃ１８に記載の装置。
［Ｃ２３］
前記第１のＴＴＩまたは前記第２のＴＴＩの後に前記指示を受信するための手段
をさらに備える、Ｃ１８に記載の装置。
［Ｃ２４］
前記第１のＴＴＩの第１のシンボル期間の間に制御チャネルを受信するための手段、ここにおいて、前記制御チャネルは、前記第１のＴＴＩのためのスケジューリング情報を備え、前記第１のＴＴＩを復号することは、前記制御チャネルに少なくとも部分的に基づく、
をさらに備える、Ｃ２３に記載の装置。
［Ｃ２５］
前記低レイテンシ送信が異なるワイヤレスデバイスに向けられる、Ｃ１８に記載の装置。
［Ｃ２６］
前記低レイテンシ送信が前記データチャネルと同じセルからのものである、Ｃ１８に記載の装置。
［Ｃ２７］
基地局バックホールリンクを介して前記指示を受信するための手段
をさらに備える、Ｃ１８に記載の装置。
［Ｃ２８］
前記第１のＴＴＩがロングタームエボリューション（ＬＴＥ）サブフレームを備える、Ｃ１８に記載の装置。
［Ｃ２９］
ワイヤレス通信のための装置であって、
プロセッサと、
前記プロセッサと電子通信しているメモリと、
前記メモリに記憶された命令であって、前記プロセッサによって実行されると、前記装置に、
データ領域におけるリソースを利用して第１の送信時間間隔（ＴＴＩ）の間にデータチャネルを受信することと、
低レイテンシ送信が前記第１のＴＴＩ内の前記データ領域の少なくとも一部分に存在するという指示を受信することと、ここにおいて、前記低レイテンシ送信は、第２のＴＴＩに少なくとも部分的に基づく、
前記指示に少なくとも部分的に基づいて前記データチャネルを復号することと
を行わせるように動作可能な命令と
を備える装置。
［Ｃ３０］
ワイヤレス通信のためのコードを記憶する非一時的コンピュータ可読媒体であって、前記コードが、
データ領域におけるリソースを利用して第１の送信時間間隔（ＴＴＩ）の間にデータチャネルを受信することと、
低レイテンシ送信が前記第１のＴＴＩ内の前記データ領域の少なくとも一部分に存在するという指示を受信することと、ここにおいて、前記低レイテンシ送信は、第２のＴＴＩに少なくとも部分的に基づく、
前記指示に少なくとも部分的に基づいて前記データチャネルを復号することと
を行うように実行可能な命令を備える、非一時的コンピュータ可読媒体。